(57)【要約】      （修正有）【課題】道糸側とハリス側との間に介在し、伸縮自在の軟質材でなる釣り用クッションゴムが、繰り返し引きでへたることのない、そして過激な引っ張りによって破断する事無く使える優れた釣り用クッションゴムを提供する。【解決手段】軟質のチューブ体１にポリエステルなどの糸２をたるませて通したクッション体３でなる。Ａ止め具６は、段穴４が貫通し、端部に抜け止め部５を具備し、段穴に通された糸の端子は段穴の太穴４ａ中空部内で結び目７が作られ、チューブ体は抜け止め部に固く差し込まれ、Ａ止め具にクッション体の端が接続される。更に、Ｂ止め具８は、端部にすり割り付き穴９を具備し、リング体Ａなどを装着可能にし、双方のＡ，Ｂ止め具に整合して設けた、ネジ部１０を介して一体化可能な、止め具体１１を具備する。【選択図】図１
0003178020.tif 000002
【実用新案登録請求の範囲】
【請求項１】
軟質のチューブ体（１）にポリエステルなどの糸（２）をたるませて通したクッション体（３）で成る、釣り用クッションゴムにおいて、段穴（４）が貫通し、端部に抜け止め部（５）を具備したＡ止め具（６）は、段穴に通された前記糸の端子は段穴の太穴（４ａ）中空内で結び目（７）が作られ、前記チューブ体は抜け止め部に固く差し込まれ、Ａ止め具にクッション体の端が接続くされ、更に、個別でなるＢ止め具（８）は、端部にすり割り付き穴（９）を具備し、リング体（Ａ）などを装着可能にし、双方のＡ，Ｂ止め具に整合して設けた、ネジ部（１０）を介して一体化可能な、止め具体（１１）にしたことを特徴とする、釣り用クッションゴム。
【請求項２】
前記するＡ止め具に具備する抜け止め部に固く差し込まれたチューブ体は、コイル体（１２）で巻き込まれ、強固な抜け防止が施されたことを特徴とする、請求項１記載の釣り用クッションゴム。
【請求項３】
前記する段穴の太穴に作られた結び目がビーズなどで成る止め座（１３）に並列して設けられたことを特徴とする、請求項１又は２項記載の、釣り用クッションゴム。
【請求項４】
前記するＢ止め具に設けたすり割り付き穴を取り除き、太穴（１４）と細穴（１５）での貫通軸穴を設け、該穴に回動自在でなる段付きのリング接続軸（１６）を挿入し、露出部の軸端部に開口する穴（１７）にリング体（Ａ）を接続し、サルカン機能を持たせたＢ止め具（８０）にした止め具体（１１０）にしたことを特徴とする、請求項１、２、又３項記載の釣り用クッションゴム。
【考案の詳細な説明】
【技術分野】
【０００１】  この考案は釣り竿の仕掛けで道糸側とハリス側の間に介在させる軟質で伸縮性の優れたチューブ体の中に強靭な糸をたるませて通した複合でなるクッション体を使い、其の双方の両端子にサルカンを接続して構成した、釣り用クッションゴムの改良に関するものである。
【背景技術】
【０００２】  この種の、従来の技術として早くから知られ、使われている釣り用クッションゴムは、弾性線条体の伸縮自在のムクのポリウレタンエラストマーからなるクッション体にサルカンが接続された構成で、クッションゴムの硬さや、太さと長さは多様化された釣り用クッションゴムが存在するが、これらの釣り用クッションゴムは、伸縮自在での軟質弾性線条体のため海中で何回となく魚のアタリや魚の釣り上げなどでの伸び縮みの繰り返しで弾力が極度に落ち、へたるなどでクッション劣化が早く、頻繁に新品に取り替えなければならないため、これらの課題を解決する為に、へたりや過度な伸びに耐え、安心して長期間に繰り返して使える優れた釣り用クッションゴムが提供され、（特許文献１参照）に開示去れている。これらは、伸縮性の優れたチューブ体の中空部に差し込まれ、ポリエステル材などの強靭な糸を使い、糸の長さをチューブ体の長より数倍の長にし、例えば２倍から３倍程度の長い糸をチューブ体の中空部にたるませて差し込まれて、双方の長さがチューブ体の全長に両端を合わせ、サルカンのリング体に端子を固定する構成で、クッション材と糸の双方の特性を組み合わせで成るため、チューブ体の伸びの限界は糸の最長伸びでロックされ、糸が切れない限り、チューブ体の長さが伸び率の限界内に設定された構成のため、クッション性の劣化やへたる事無い長寿命の釣り用クッションゴムが公開されている。【０００３】
【特許文献１】出願番号：特願２００２−３２７５７６号
【考案の開示】
【考案が解決しようとする課題】
【０００４】  しかしながら、従来から知られるムクのクッション体での引例する釣り用クッションゴムは、釣り場での魚の弱いあたりや引きに反応させる為に、クッション材は細く長く伸び易いクッションゴムになることで、引っ張りでの破断強度が低下し、強烈な魚の引きで突如切断してしまう問題が残る。そして、破断強度を強くするため太く短く硬いクッション材でのクッションゴムは、魚の弱いあたりや引きに反応しないため、釣り成果を上げることが出来ないなどの課題が残る。そして更には、この種の釣り用クッションゴムの端部に設けるサルカンのりんぐ体との接続部に引き荷重が一点集中するため、接続部が切れ易いなどの欠点が有った。【０００５】  次に、特許文献１で引例する釣り用クッションゴムは、上記する数々の欠点を解決す為に開発された釣り用クッションゴムでは、軟質で伸縮性の優れたチューブ体と強靭な糸との複合体の構成にすることで、相互の端子のサルカンとの結合は、それぞれ個別に接続されるが、特に強靭な糸の端子は金属性のサルカンのリング体に結んで接続するため、糸の結びに依って結び目が強度低下し、糸の本来の引っ張り強度の強靭を発揮出来ない問題があり、糸のサルカンや止め具との結合の改良が強く要望され、更にまた、チューブ体のサルカンとの接続ではチューブ体の端子がサルカンリング体の根元に被せられ結束されるが、結束強度を上げるに難があり、抜け易い結束形態であるなどの欠点を残している。
【課題を解決する為の手段】
【０００６】  この考案は、係る課題を解決する為に、請求項１での考案は、図１での一部断面で要部の分解斜視図で述べるに、軟質のチューブ体１にポリエステルなどの糸２をたるませて通したクッション体３でなる、釣り用クッションゴムにおいて、段穴４が貫通し、端部に抜け止め部５を具備したＡ止め具６は、段穴に通された前記糸の端子は段穴の太穴４ａ中空部内で結び目７が作られ、そして、前記チューブ体は抜け止め部に固く差し込まれ、Ａ止め具にクッション体の端が接続される。更に、個別でなるＢ止め具８は、端部にすり割り付き穴９を具備し、リング体Ａなどを装着可能にし、双方のＡ，Ｂ止め具に整合して設けた、ネジ部１０を介して一体化可能な、止め具体１１にした構成とする。
【０００７】  次に、請求項２での考案は、図２での要部縦断面図と図４での一部断面での全体斜視図で述べるに、前記するＡ止め具に具備する抜け止め具に固く差し込まれたチューブ体は、コイル体１２が巻き込まれ、強固な抜け防止が施された構成とする。
【０００８】  次に、請求項３での考案は、図２での要部縦断面図で述べるに、前記する段穴に作られた結び目がビーズなどで成る止め座１３に並列して設けた構成とする。
【０００９】  次に、請求項４での考案は、図３での要部縦断面図で述べるに、前記するＢ止め具に設けたすり割り付き穴を取り除き、太穴１４と細穴１５での貫通軸穴を設け、該穴に回動自在でなる段付きのリング接続軸１６を挿入し、露出部の軸端部に開口する穴１７にリング体Ａを接続し、サルカン機能をもたせたＢ止め具８０にした止め具体１１０の構成とする。
【考案の効果】
【００１０】  本考案は上述の通り構成、作用するので次の優れた効果を奏する。即ち、図１で述べる第１実施例においては、釣れた魚の過剰な引っ張り負荷で、強靭な糸の作用でチューブ体のへたりや切断の無い優れた釣り用クッションゴムを提供することが出来る。
次にまた、図２、図３で述べる第２実施例においては、抜け止め部のくびれに差し込んだチューブ体の端部に抜け防止用のコイル体を装備し、次のまた、図２で述べる第３実施例において、糸の結び目にビーズを嵌め、魚の過激な引きでの結び目の離脱に強い釣り用クッションゴムを提供することが出来る。
更にまた、図３で述べる第４実施例ではＢ止め具に設けたリング体付きの回動自在でなるリング接続軸がサルカン機能からなる釣り用クッションゴムを提供することが出来る。
【考案を実施するための最良の形態】
【００１１】  以下に図示の実施例に基づいて本考案を更に詳細に説明する。即ち、図１は本考案での第１実施例に基づく一部断面で要部の分解斜視図で述べるが、軟質のチューブ体１の中空部に糸２を貫通させてのクッション体３は、チューブ体を軟質材の熱可塑性ポリウレタンエラストマー或いはシリコンゴムなどが最適で、これらのチューブ体の仕様は狙いの魚釣りに対応して選択できる様々な形慫を具現し、小物魚や大物魚のあたり反応や引き込み力などに対応する為の、チューブ体の内径、外形と全長や材質での伸び率や引っ張り強度或いは硬さなどを重点的に配慮される。そして、チューブ体の中空部に通して使う糸も非伸縮性のポリエステルやポリエチレンやナイロン糸など様々な化学繊維での材質を選択の対象とされ、糸（撚糸）の太さと長さの配慮も前記するチューブ体との組み合わせでクッション体が構成される。本考案では、チューブ体の自然長さにたるませて挿入する糸の自然長はチューブ体の２〜３倍の長さにしているが、基本的に糸の長さの倍率を上げるに従ってチューブ体の最大伸びが強制的に長いスパンで伸び縮みの繰り返しの構成となるため弱いあたりの小物魚を狙うに良く、逆に倍率を下げることで、大物魚を狙うに良い。【００１２】  前記するクッション体の両端に結合する止め具体１１は、細長い金属製筒状のＡ止め具６とＢ止め具８とが分割され、双方がネジ部１０での結合で構成され、該Ａ止め具の外周端部に段付き或いは凸凹状などでなる抜け止め部５を設け、片側面から軸上に貫通する細穴と太穴４ａでなる段穴４が貫通し、他方側面の太穴の開口部の内周に沿うってネジ部（めネジ）が加工され、該Ａ止め具の外周端部の段付き状の抜け止め部にはクッション体のチュウブ体が固く差し込まれ、更に片側面から軸上に貫通する細穴からは、クッション体の糸が差し込まれ、結び目７の施された糸の先端が太穴に位置して装備される構成とする。そして更には前記するＢ止め具の片端部の側面開口部の外周に沿うってネジ部１０（おネジ）が加工され、他方端部にすり割り付き穴９を具備しリング体Ａなどを装着可能し、該穴に連なるすり割りはネジ部の側面開口部から切り込まれっることで、リング体の付いたサルカンやナスかんなどの釣り用具をすり割り付き穴に容易に装備可能な構成で、その穴に装備された釣り用具は双方のＡ，Ｂ止め具同士が双方に設けたネジの締め付けで結合可能な止め具体１１から成る釣り用クッションゴムを提供することが出来る。【００１３】  次に図２と図４は本考案での第２実施例に基ずく要部での縦断面図と一部断面での全体斜視図で述べるが、前記するＡ止め具に設けた先端くびれ部段差の抜け止め部に固嵌め接続のチューブ体を更に抜け強度を強化する為にコイル体１２でチューブ体を巻き込み強固な抜け防止を施すなどし、過激な引きの繰り返しに耐える釣り用クッションゴムを作り出している。次に本考案の第３実施例を前記同じ図２での要部縦断面図で述べるに、前記する段穴の太穴に作られた糸の抜け防止に設けた結び目に並列してビーズを差し込み止め座１３として使い、結び目の強度を保護し、結び目に集中する引き荷重でのトラブルを防ぐ構成である。【００１４】  次に図３は本考案での第４実施例に基ずく要部での���断面図で述べるが、前記するＢ止め具に設けたすり割り付き穴を取り除き、太穴１４と細穴１５での貫通穴を軸上に設け、該穴には回動自在でなる段付きのリング接続軸１６を挿入し、露出部の軸端部に開口する穴１７にリング体Ａを接続し、サルカン機能を持たせたＢ止め具８０にした止め具体１１０の構成にしている。
【図面の簡単な説明】
【００１５】
【図１】本考案に係わる第１実施例での一部断面での要部を示しての分解斜視図である。
【図２】  本考案に係わる第２実施例での要部を示しての縦断面図である。また本考案に係わる第３実施例での要部を示しての縦断面図を兼ねる。
【図３】  本考案に係わる第４実施例での要部を示しての縦断面図である。
【図４】  本考案に係わる第２実施例での一部断面での全体を示しての斜視図である。
【符号の説明】
【００１６】  Ａ            リング体
１            チューブ体
２            糸
３            クッション体
４            段穴
４ａ          太穴
５            抜け止め部
６            Ａ止め具
７            結び目
８，８０      Ｂ止め具
９            すりわり付き穴
１０          ネジ部
１１，１１０  止め具体
１２          コイル体
１３          止め座
１４          太穴
１５          細穴
１６          リング接続軸
１７          穴
【図１】
0003178020.tif 000003
【図２】
0003178020.tif 000004
【図３】
0003178020.tif 000005
【図４】
0003178020.tif 000006